(57)【要約】【課題】人の手によらなくて皮膚へのオイル塗布を一度に可能にするだけでなく、使用者が着用した被服と皮膚を区分して選択的にオイルを塗布することができるようにするオイル噴射装置を提供する。【解決手段】オイル噴射装置が開示される。本発明によるオイル噴射装置は、使用者が出入りすることができる出入口を備えたケーシング部、前記ケーシング部の内面に装着され、ケーシング部の内部の前記使用者の皮膚にオイルを噴射する噴射部、及び前記使用者の被服と前記被服の外部に露出された皮膚を区別する擬皮判断手段を含んでなり、前記擬皮判断手段によって使用者の皮膚と衣服を着用した部位を区分して使用者の皮膚にだけ前記噴射部からオイルを選択的に噴射することができる。【選択図】  図１
2015509008.tif 000002
【特許請求の範囲】
【請求項１】
使用者が出入りすることができる出入口を備えたケーシング部；
前記ケーシング部の内面に装着され、ケーシング部の内部の前記使用者の皮膚にオイルを噴射する噴射部；及び
前記使用者の被服と前記被服の外部に露出された皮膚を区別する擬皮判断手段；を含んでなり、
前記擬皮判断手段によって使用者の皮膚と衣服を着用した部位を区分して使用者の皮膚にだけ前記噴射部からオイルを選択的に噴射することを特徴とする、オイル噴射装置。
【請求項２】
前記擬皮判断手段は、使用者から反射される光によって皮膚と衣服部位を区分する光センサーを含んでなることを特徴とする、請求項１に記載のオイル噴射装置。
【請求項３】
前記光センサーは、使用者から発散された光を受信する受光部、及び前記受光部から受信した光を分析して衣服と皮膚を区別する制御部を含んでなることを特徴とする、請求項２に記載のオイル噴射装置。
【請求項４】
前記光センサーは、光を発散する光出力部をさらに備えていることを特徴とする、請求項３に記載のオイル噴射装置。
【請求項５】
前記擬皮判断手段は特定の波長の光を吸収する遮蔽部がさらに備え、使用者が前記遮蔽部で遮った部位を除いた残りの部位にだけオイルを塗布することを特徴とする、請求項４に記載のオイル噴射装置。
【請求項６】
前記擬皮判断手段は、個人別色データを検出する基準色検出センサーをさらに備えていることを特徴とする、請求項４に記載のオイル噴射装置。
【請求項７】
前記ケーシング部の内部には、使用者が内部に入った後、皮膚にオイルを塗布するために上がって立つ昇降部をさらに備えていることを特徴とする、請求項１に記載のオイル噴射装置。
【請求項８】
前記ケーシング部の上部内側には、使用者の頭部の位置を感知するセンサーをさらに備えていることを特徴とする、請求項７に記載のオイル噴射装置。
【請求項９】
前記ケーシング部の側面の上端部には、使用者が外部を見ることができるようにする窓が形成されていることを特徴とする、請求項１に記載のオイル噴射装置。
【請求項１０】
前記擬皮判断手段は、センサーによって使用者の外部に露出された皮膚の温度及び使用者が着用した被服の温度を測定し、前記センサーが測定した温度値に基づいて前記噴射部が使用者の皮膚にだけオイルを選択的に噴射することを特徴とする、請求項１に記載のオイル噴射装置。
【発明の詳細な説明】
【技術分野】
【０００１】
本発明はオイル噴射装置に関するものであり、より詳しくは人の手によらなくて皮膚へのオイル塗布を一度に可能にするだけでなく、使用者が着用した被服と皮膚を区分して選択的にオイルを塗布することができるようにするオイル噴射装置に関するものである。
【背景技術】
【０００２】
夏季の海水浴場では日光浴や海水浴を楽しむ人々は皮膚の太陽熱による損傷を防ぐために紫外線遮断オイルを自身の皮膚に塗布する。
【０００３】
しかし、オイルを皮膚に塗布する過程で自身の手が触れない部分はパートナーの助けによって塗布することになるが、パートナーの助けが容易でない場合、背中のような部分にはオイルを塗布することができないという問題がある。
【０００４】
また、自身の手でまたはパートナーの手で皮膚にオイルを塗布する場合にも手にオイルが付くことになって、オイルを塗布した後には手を洗わなければならないなどの煩わしさが問題となる。
【０００５】
このような海水浴場などでオイルを塗布することは長い時間がかかるだけでなく、水着を着た部分を除き、外部に露出された皮膚のみを選択的にいちいち手で直接塗布しなければならないという煩わしさがある。
【発明の概要】
【発明が解決しようとする課題】
【０００６】
したがって、本発明の目的は、人の手によらなくて皮膚へのオイル塗布を一度に可能にするだけでなく、使用者が着用した被服と皮膚を区分して選択的にオイルを塗布することができるようにするオイル噴射装置を提供することにある。
【課題を解決するための手段】
【０００７】
前記の目的を達成するための技術的思想によれば、本発明は、使用者が出入りすることができる出入口を備えたケーシング部、前記ケーシング部の内面に装着され、ケーシング部の内部の前記使用者の皮膚にオイルを噴射する噴射部、及び前記使用者の被服と前記被服の外部に露出された皮膚を区別する擬皮判断手段；を含んでなり、前記擬皮判断手段によって使用者の皮膚と衣服を着用した部位を区分して使用者の皮膚にだけ前記噴射部からオイルを選択的に噴射することができる。
【０００８】
本発明の好適な実施例において、前記擬皮判断手段は、使用者から反射される光を受信して波長の変化を分析し、分析された波長の変化によって皮膚と衣服部位を区分することができる。
【０００９】
本発明の好適な実施例において、前記光センサーは、使用者から発散された光を受信する受光部、及び前記受光部から受信した光を分析して衣服と皮膚を区別する制御部を含んでなることができる。
【００１０】
本発明の好適な実施例において、前記光センサーは、光を発散する光出力部をさらに備えることができる。
【００１１】
本発明の好適な実施例において、前記擬皮判断手段は特定の波長の光を吸収する遮蔽部をさらに備え、使用者が前記遮蔽部で遮った部位を除いた残りの部位にだけオイルを塗布することができる。
【００１２】
本発明の好適な実施例において、前記擬皮判断手段は、個人別色データを検出する基準色検出センサーをさらに備えることができる。
【発明の効果】
【００１３】
本発明によれば、人の手によらなくて皮膚へのオイル塗布を一度に可能にするだけでなく、使用者が着用した被服と皮膚を区分して選択的に安全にオイルを塗布することができるようにするオイル噴射装置が提供される。
【図面の簡単な説明】
【００１４】
【図１】本発明の一実施例によるオイル噴射装置の構造を示す図である。
【図２】本発明の一実施例によるオイル噴射装置の動作原理を説明する図である。
【図３】本発明の一実施例によるオイル噴射装置の動作原理を説明する図である。
【図４】本発明によるオイル噴射装置の昇降部の動作原理を説明する図である。
【図５】本発明の一実施例によるオイル噴射装置の構造を示す機能ブロック図である。
【図６】本発明によるオイル噴射装置の昇降部の上部構造を示す図である。
【図７】本発明の他の実施例による噴射部の構造を示す図である。
【発明を実施するための形態】
【００１５】
以下、添付図面に基づいて本発明をより詳細に説明する。図面において、同一の構成要素はできるだけどの図においても同一符号で示していることに留意しなければならない。また、本発明の要旨を不必要にあいまいにすることができる公知の機能及び構成についての詳細な説明は省略する。
【００１６】
図１は本発明の一実施例によるオイル噴射装置の構造を示す図である。図１を参照すれば、本発明の一実施例によるオイル噴射装置１００は、ケーシング部１７０、噴射部１４０、及び昇降部１５０を含む。
【００１７】
ケーシング部１７０には、図１に示すように、使用者５０が出入りすることができる出入口が形成されており、ケーシング部１７０の側面の上端部にはケーシング部１７０の内部に位置する使用者５０が外部を見ることができるように窓１７５が形成されている。このように、ケーシング部１７０の内部に形成された窓１７５を通じて使用者５０は外部を見ることができるので、ケーシング部１７０の内部に閉じ込められているような息苦しさを最小化することができるようになる。
【００１８】
一方、噴射部１４０はケーシング部１７０の内面に装着されており、使用者５０の皮膚にオイルを噴射するオイル噴射用ノズルを備えている。
【００１９】
本発明の実施において、オイル噴射用ノズルから噴射されるオイルは紫外線を遮断して皮膚が損傷されることを防止するサンクリームの機能をするオイル、あるいは皮膚が均一に薄く日焼けされるようにする機能をするサンオイルを選択的に使うことができる。
【００２０】
一方、本発明の実施においては、噴射部１４０にはオイル噴射用ノズルの外にも空気噴射用ノズルを別に備えることもできるはずであり、空気噴射用ノズルはケーシング部１７０の内部の使用者の暑さを冷やす機能とオイルの塗布後に乾燥機能をすることもできる。
【００２１】
昇降部１５０は、図１に示すように、ケーシング部１７０の内部下面に設置され、使用者５０はケーシング部１７０の内部に入って立った後、自身の皮膚へのオイル塗布のために昇降部１５０に上がって立つことになる。一方、本発明の実施においては、ケーシング部１７０の内部に入った使用者５０が自然に昇降部１５０に上がって立つように誘導するために、図６のように、昇降部１５０の上端には足跡状部１５５が備えられるようにすることが好ましい。
【００２２】
一方、昇降部１５０の上端に足跡状部１５５が一定間隔で形成されることにより、使用者は自然に足跡状部１５５に自身の両足を一定間隔で広げた状態で立つことになり、使用者の両脚の太もも部位が重なってオイルの塗布が円滑でない状況を防止することができるようになる。
【００２３】
また、使用者は、昇降部１５０に上がって立った状態で、図４に示すように、取っ手１７７を両手でそれぞれ掴むことにより、両腕が自身の胴体を遮って胴体へのオイル塗布を遮断することを防止することができるようになる。
【００２４】
一方、本発明の実施においては、図２及び図３のように、噴射部１４０は使用者５０の皮膚にできるだけ近付くように移動した状態で使用者５０の皮膚にオイルを噴射することが好ましい。
【００２５】
また、本発明の実施においては、使用者５０が昇降部１５０に上がって立った場合、使用者５０の頭部がケーシング部１７０の上部に至るまで昇降部１５０が図４のように上方に高く上がることが好ましく、より好ましくは噴射部１４０のノズルの中で昇降部１５０の昇降板（足場）の下側に位置するノズルは噴射することができないようにしてオイルの無駄使いを減らすことが好ましい。
【００２６】
このために、本発明によるオイル噴射装置１００は図５のような構造を持つようになる。図５は本発明の一実施例によるオイル噴射装置の構造を示す機能ブロック図である。図５を参照すれば、本発明の一実施例によるオイル噴射装置１００は、前述した噴射部１４０及び昇降部１５０の外にも、第１センサー１１０、第２センサー１２０、制御部１３０、及び電源部１６０をさらに含む。
【００２７】
まず、第１センサー１１０は噴射部１４０に備えられたノズルのまわりに設置され、それぞれの第１センサー１１０が対向している使用者５０の皮膚までの距離を測定する。第１センサー１１０によって測定された距離情報は制御部１３０に伝送され、制御部１３０は複数の第１センサー１１０から使用者５０の皮膚までのそれぞれの距離が所定の距離（例えば、３ｃｍ）となるまで噴射部１４０が図３のように皮膚に継続して近付くように制御する。
【００２８】
一方、本発明の実施においては、第１センサー１１０には接触センサーがさらに備えられることで、制御部１３０の誤作動によって噴射部１４０に備えられたノズルが使用者の皮膚に直接接触する場合には、接触センサーからの皮膚接触感知信号に応じて制御部１３０が噴射部１４０の移動を停止させるようにすることが好ましい。
【００２９】
第１センサー１１０から使用者５０の皮膚までの距離が制御部１３０に既に設定された所定の距離と一致する場合、制御部１３０は噴射部１４０の移動を止め、噴射部１４０に備えられた噴射ノズルからオイルを噴射して使用者５０の皮膚に塗布されるように制御する。
【００３０】
一方、第２センサー１２０はケーシング部１７０の上部内側に設置されており、第２センサー１２０は水平方向に使用者５０の身体（頭部）がケーシング部１７０の上部まで上がるか否かを判断する。
【００３１】
すなわち、一対の第２センサー１２０はケーシング部１７０の上部内側と見合うように設置された状態で互いに赤外線を送信し、使用者５０の頭部が一対の第２センサー１２０の間を遮っていない場合には一対の第２センサー１２０はそれぞれ相手からの赤外線を受信するようになる。この場合、制御部１３０は昇降部１５０の高さが増加し続けるように制御する。
【００３２】
一方、昇降部１５０の高さが増加した結果、使用者５０の頭部が図４のように一対の第２センサー１２０の間を遮れば、一対の第２センサーは相手から赤外線をそれ以上受信することができなくなる。
【００３３】
このように、第２センサー１２０への赤外線受信が中断された場合、制御部１３０は昇降部１５０に供給される電源を遮断して昇降部１５０の上方への移動を中断させる。この場合、使用者５０はケーシング部１７０内で図４のようにガラス窓１７５と目の高さが一致することになって一番楽な目の高さを確保することができるようになる。
【００３４】
本発明によるオイル噴射装置には、使用者の被服と前記被服の外部に露出された皮膚を区別する擬皮判断手段（図示せず）がさらに備えられることができる。そして、使用者５０がケーシング部１７０内にあれば、擬皮判断手段によって水着（若しくは一般衣服）を着用した部位とそうではない部位を区分し、外部に露出された皮膚にだけオイルなどを塗布するようにする。
【００３５】
擬皮判断手段としては公知の多様な方法を使うことができる。例えば、擬皮判断手段として光センサーまたはイメージセンサーを使うことができる。光センサーまたはイメージセンサーは類似した概念のもので、受信される光の波長を分析して事物の形状及びサイズを区分し、事物の中で特定部位の形状を判断することができる装置を言う。以下では光センサーを基準に説明し、前記光センサーはイメージセンサーを含む概念である。
【００３６】
光センサーは、光を受信する受光部と受信された光の波長を分析する制御部（演算部）とを含んでなることができる。したがって、受光部から受信した光の波長を分析して使用者のサイズと形状及び皮膚と衣服部位を区別することができるようになる。光センサーは人の目と類似した概念のもので、事物が色相を持つことは、太陽光が事物にぶつかるとき、事物の性質や材質によって特定波長の光を吸収するとか特定波長の光だけ反射させるからである。例えば、周知のように、黒色はすべての可視光線を吸収するから黒く見えるものであり、白色はすべての光を反射させるから白く見えるものである。そして、夕焼けは可視光線の中で波長が一番長くて遠くまで到逹する赤色が日が暮れた後にも遅くまで見えるものである。このように、光は事物によって反射する波長が変わるので、受光器では皮膚色と非皮膚色さえ区別すれば衣服部位と衣服の外部に露出された皮膚を区別することができるようになる。この場合、皮膚色と同一ないし類似の衣服を着用する場合にはエラーが発生することもできるが、一般的に水着は皮膚色と類似した色を使わないのであまり問題にならない。
【００３７】
一方、光センサーで受信される光は自然光を使うこともできる。したがって、自然光を使う場合には追加の光出力部が必要なくなる。しかし、自然光を用いる場合には、天気によって測定環境がひどく変わるから、追加の光出力部をさらに備えることが好ましい。光出力部としてはＬＥＤランプなどを使うことができ、必要によっては特定波長の光を使うこともできる。これは受光部と制御部で判断する基準によって多様に選択することができる。
【００３８】
本発明の好適な実施例において、前記オイル噴射装置には個人別皮膚色データを検出する基準色検出センサーをさらに備えることができる。基準色検出センサーは使用者がオイル噴射装置を使う前に自身の皮膚色をシステムに先に入力する手段である。例えば、使用者がオイル噴射装置を使う前、自身の手の甲または皮膚の特定部位を使用案内または使用マニュアルに従って皮膚色検出センサーに接近させれば、前記皮膚色検出センサーが使用者の皮膚色を測定するようになる。その後、使用者がケーシング部１７０の内部に立っていれば、光センサー（イメージセンサー）が使用者を撮影し、各部位別皮膚色を基準色と比較し、基準色と違う部位を衣服部位として認識するようになる。基準色が与えられない場合には、受光部から受信した色の中で特定の部位を基準色にするとか複雑な演算によって皮膚色を探さなければならないため、時間が長くかかるとかエラーが発生するおそれがある。したがって、基準色検出センサーがあれば、このような問題を防止することができる。この際、基準色検出センサーは別に備えることもでき、受光部を活用することもできる。
【００３９】
また、本発明の好適な実施例において、前述した擬皮判断手段には、特定波長の光を吸収するとか特定波長の光だけ反射させるように考案された遮蔽部をさらに備えることができる。そして、使用者がオイルを塗布したくない部位（例えば、顔またはパンツまたはブラジャーが位置する部位）を遮蔽部で予め遮っておけば、光センサーによって塗布すべき部位を明確で速かに判断するのにもっと効果的である。
【００４０】
一般に、水着などは多様な色を多様な形状にして華麗にする。したがって、光センサーによって衣服部位を判断する場合、一部の色が皮膚色と類似した柄があればエラーが発生することもできる。もちろん、ほとんどの場合には水着の着用部位が決まっており平均的な色相変化を基準として判断するから光センサーによって皮膚と衣服を判断することがあまり問題にならないが、複雑な演算過程によらなければならないから製造コストが上昇することができる。したがって、特定の波長だけ吸収するとか反射させる遮蔽部を使えば小さな演算によっても易しく判断することができる利点がある。擬皮判断手段に使われるセンサーはケース部１７０の内部に多様な位置に設けられることができる。
【００４１】
一方、本発明の実施においては、複数の噴射部１４０のまわりにそれぞれ設置された第１センサー１１０には超音波などによる皮膚までの距離測定の機能だけでなく、温度センサーをさらに備えることにより、第１センサー１１０が皮膚に近付いた状態で皮膚の温度を測定することができるようにすることが好ましい。
【００４２】
より具体的に説明すれば、図４に示すように、複数の噴射部１４０が使用者５０の皮膚に近付いた状態で、使用者５０は自身の皮膚へのオイル塗布を望むばかりで水着を着ている部分へのオイル塗布は望まない。
【００４３】
したがって、使用者５０の皮膚に近くに移動した複数の噴射部１４０にそれぞれ備えられた第１センサー１１０は使用者５０の皮膚温度をそれぞれ測定し、測定した温度値を制御部１３０に送信するようになる。
【００４４】
この場合、使用者５０の皮膚と対向している第１センサー１１０は使用者５０の皮膚温度を測定するようになるはずであり、使用者５０の皮膚を覆っている水着と対向している第１センサー１１０は使用者５０の皮膚温度より低い温度を持つ水着の温度を測定するようになる。
【００４５】
このように、複数の第１センサー１１０が測定した温度値を受信した制御部１３０は、他の第１センサー１１０より低い温度の温度値を送信した第１センサー１１０を備えた噴射部１４０の噴射ノズルを作動させないことにより、使用者５０の水着にはオイルが噴射されなくて使用者５０の皮膚部位にだけオイルが噴射されるようにすることができるようになる。
【００４６】
または、本発明の実施において、身体の各部位別に温度値が違うことができるので、他の第１センサー１１０と比較したとき、最低温度の温度値を送信した第１センサー１１０を備えた噴射部１４０の噴射ノズルを作動させないこともできる。
【００４７】
一方、本発明の実施においては、図７に示すように、複数の噴射ノズルを備えており、人体の各部位別の形状に対応するように製作された噴射板１８０を用いてオイルを噴射することもできる。
【００４８】
この場合、個々の噴射ノズルを使用者５０の皮膚に近くに移動する必要なしに、人体の各部位別に対応する噴射板１８０を噴射板移送手段１４５によって皮膚に近くに移動させた状態で、噴射板１８０に備えられた複数の噴射ノズルを通じて同時に皮膚にオイルを噴射させることができるようになる。
【００４９】
一方、本発明の実施において、噴射口１４０に備えられた噴射ノズルは回転式噴射方式またはクロス噴射方式を用いることが好ましい。この場合にも、被服境界部のノズルは回転方式を用いないように制御されることが好ましい。
【００５０】
また、ノズル噴射方式は、サンスプレー噴射方式のようなガス噴射方式と、チリ払い用スプレーガンのような方式のコンプレッサーの空気圧を用いた噴射方式を選択的に用いることができる。
【００５１】
また、本発明の実施においては、ノズル噴射方式を選択しないで、洗濯及び乾燥されたガーゼ（ｇａｕｚｅ）で使用者の皮膚を擦って塗布する方式も使うことができる。
【００５２】
一方、本発明の実施においては、噴射ノズルを用いたオイルの噴射だけでなく、紫外線遮断体を気体化した成分から製造して空気接触塗布方式で使用者の身体部位に塗布することもできるはずであり、従来の日焼け器具などに応用される多様な噴射方式を使うこともできる。
【００５３】
以上では本発明の好適な実施例及び応用例について図示して説明したが、本発明は前述した特定の実施例及び応用例に限定されなく、請求範囲で請求する本発明の要旨を逸脱することなしに当該発明が属する技術分野で通常の知識を持った者によって多様な変形実施が可能であるのはもちろんのこと、このような変形実施は本発明の技術的思想や見込みから個別的に理解されられてはいけない。
【図１】
2015509008.tif 000003
【図２】
2015509008.tif 000004
【図３】
2015509008.tif 000005
【図４】
2015509008.tif 000006
【図５】
2015509008.tif 000007
【図６】
2015509008.tif 000008
【図７】
2015509008.tif 000009
【国際調査報告】
2015509008.tif 000010
2015509008.tif 000011
2015509008.tif 000012
2015509008.tif 000013